(57)【要約】【課題】光ディスク装置のトラッキングエラーなどサーボエラー信号をサンプルホールド回路で生成する場合に、外乱ノイズまたは回路ノイズ成分によるサンプルホールド誤差信号により不安定な制御になる。【解決手段】サンプルホールド回路２４のスルーレートを、ディスク１の回転の速度に基づいた回転速度信号ＳＳＰに基づいて制御し、ノイズ信号の通過を抑制し、安定な制御を実現できる。【選択図】　　　図９
2004079084.tif 000002
【特許請求の範囲】
【請求項１】
光ビームの光量をライトパワー及びリードパワーとの間で切り換えて照射し記録する光ディスク装置であって、記録媒体からの反射光を光ピックアップ受光素子で受光し、前記受光素子の出力電流をＩ−Ｖ変換してリードパワー出力信号のタイミングでサンプルホールドし、トラッキングエラーなどサーボエラー信号を得るサンプルホールド回路を有し、
前記サンプルホールド回路の前段回路のスルーレートを制御して、外乱ノイズまたは回路ノイズなどに起因するノイズ信号の通過を抑制するように構成した
光ディスク装置。
【請求項２】
前記サンプルホールド回路の前段回路のスルーレートを前記記録媒体の回転速度に応じて制御するよう構成した
請求項１記載の光ディスク装置。
【請求項３】
光ビームの光量をライトパワー及びリードパワーとの間で切り換えて照射し記録する光ディスク装置であって、記録媒体からの反射光を光ピックアップ受光素子で受光し、前記受光素子の出力電流をＩ−Ｖ変換してリードパワー出力信号のタイミングでサンプルホールドし、トラッキングエラーなどサーボエラー信号を得るサンプルホールド回路を有し、
前記サンプルホールド回路の前段回路のｇｍアンプのｇｍ値を制御して、外乱ノイズまたは回路ノイズなどに起因するノイズ信号の通過を抑制するように構成した
光ディスク装置。
【請求項４】
前記サンプルホールド回路の前段回路のｇｍアンプのｇｍ値を前記記録媒体の回転速度に応じて制御するよう構成した
請求項３記載の光ディスク装置。
【請求項５】
前記サンプルホールド回路の前段回路のｇｍアンプのｇｍ値を記録媒体の回転速度信号であるクロック信号に応じて制御するよう構成した
請求項３記載の光ディスク装置。
【請求項６】
前記サンプルホールド回路の前段回路のｇｍアンプのｇｍ値を記録媒体の回転速度信号であるクロック信号からＦＭ復調した信号に応じて制御するよう構成した
請求項３記載の光ディスク装置。
【発明の詳細な説明】
【０００１】
【発明の属する技術分野】
本発明は、光ビームの光量をライトパワー及びリードパワーとの間で切り換えて照射し記録する光ディスク装置であって、記録媒体からの反射光を光ピックアップ受光素子で受光し、前記受光素子の出力電流をＩ−Ｖ変換してリードパワー出力信号のタイミングでサンプルホールドし、トラッキングエラーなどサーボエラー信号を得るサンプルホールド回路を有する光ディスク装置に関するものである。
【０００２】
【従来の技術】
従来、ホストコンピュータから送信されてくるディジタル情報を記録媒体１に記録する記録再生装置は、図４に示すように構成されている。
【０００３】
図４に示す記録再生装置４は、再生手段および記録手段としてのピックアップ１０と、再生増幅器１１と、デコーダ１２と、ディスク回転手段としてのスピンドルモータ５と、ピックアップ移動制御手段としてのサーボ回路１４と、プロセッサ（ＣＰＵ）１５と、エンコーダ１６と、パワー制御回路１７と、レーザー駆動回路１８と、タイミング生成器９と、インターフェース１９と、ウォブル・アドレス抽出部１３とにより構成されている。外部ホストコンピュータ２０から記録再生装置４には、記録すべきディジタル情報ＳＲＲがインターフェース１９を介して入力される。
【０００４】
次に全体の動作を説明する。
ピックアップ１０は図示しないレーザーダイオード、偏光ビームスプリッタ、対物レンズ、光検出器などを含み、レーザー駆動回路１８からのレーザー駆動信号ＳＤＬに基づいて光ビームＢを記録媒体１の情報記録面に照射し、その反射光に基いてウォブル・アドレス抽出部１３がウォブリング周波数ｆ０を検出して記録すべきディジタル情報ＳＲＲを記録するとともに、既に記録されているディジタル情報がある場合には、光ビームＢの反射光に基づいてその記録ディジタル情報を検出する。そして、再生増幅器１１はピックアップ１０から出力されたウォブリング周波数ｆ０に対応する情報を含む再生信号ＲＦ，Ａ〜Ｈを増幅し、ウォブリング周波数ｆ０に対応するプリレコーディング情報信号ＳＤをウォブル・アドレス抽出部１３に出力するとともに、既に記録されているディジタル情報に対応する再生増幅信号ＳＰをデコーダ１２に出力する。デコーダ１２は、再生増幅信号ＳＰをデコードして、その復調信号をプロセッサ（ＣＰＵ）１５に出力する。また、再生増幅器１１から出力されるサーボ復調信号ＳＳに基づいてピックアップ１０におけるフォーカスサーボ制御及びトラッキングサーボ制御を行うためのピックアップサーボ信号ＳＰをピックアップ１０に出力する。サーボ回路１４はさらに、ウォブリング・アドレス抽出１３から供給されるウォブリング抽出信号ＳＤＤに含まれているウォブリング周波数ｆ０に対する情報を用いてスピンドルサーボ制御信号ＳＳＳを生成して、これをスピンドルモータ５に出力してスピンドルモータ５の回転をサーボ制御する。さらに、ウォブリング周波数ｆ０に基づいて生成された記録用のクロックをエンコーダに供給し、エンコーダはこのクロックを基にして記録を行う。インターフェース１９はプロセッサ（ＣＰＵ）１５の制御の下、外部のホストコンピュータ２０から送信されてくるディジタル情報ＳＲＲに関してこれを記録再生装置４に取り込むためのインターフェースに関する処理を施したディジタル情報ＳＲＲをエンコーダ１６に出力する。そして図示しないＥＣＣジェネレータ、変調部等を含むエンコーダ１６はこのディジタル情報ＳＲＲに基づいて、再生時のエラー訂正を行う単位であるＥＣＣブロックを構成するとともに、ＥＣＣブロックに対してインターリーブ、変調処理を所定の順で施し、変調信号ＳＲＥを生成してパワー制御回路１７に供給する。パワー制御回路１７は、この変調信号ＳＲＥに基づいてピックアップ１０内の図示しないレーザーダイオードの出力を制御するための記録信号ＳＤＰをレーザー駆動回路１８に出力する。レーザー駆動回路１８は記録信号ＳＤＰに基づいて、実際に記録レーザーダイオードを駆動して光ビームＢを射出させるためのレーザー駆動信号ＳＤＬをピックアップ１０に出力する。プロセッサ（ＣＰＵ）１５はウォブル・アドレス抽出部１３から入力されるＳＤＤを用いて記録媒体１のアドレス情報を取り出し、記録媒体１上の所望の位置にディジタル情報ＳＲＲを記録する動作を制御する。これと並行して、プロセッサ（ＣＰＵ）１５は、デコーダ１２からの復調信号に基づいて、既に記録されていたディジタル情報に対応する再生信号を外部に出力するとともに、記録再生装置４全体を主として制御する。なお、記録再生装置４は記録媒体１に記録されている情報を再生することも可能であり、その際には、デコーダ１２からの復調信号に基づいてプロセッサ（ＣＰＵ）１５を介して上記再生信号が外部に出力されることになる。
【０００５】
記録媒体１から信号を再生する場合、記録媒体１に照射する光ビームＢは、図１に示すように、メインビームＢｍとサブビームＢｓ１及びサブビームＢｓ２等のように分割されたビームを照射する。
【０００６】
記録媒体に照射する光ビームＢは、記録トラックであるグループトラック２に隣接するランドトラック３にサブビームＢｓ１及びサブビームＢｓ２を照射するため隣接トラックの記録済みデータを誤消去または劣化を防ぐために、サブビームへの照射光量はメインビームＢｍに比べ小さく設定されている。
【０００７】
記録媒体からの反射光は、図２に示すようにメイン反射光ＣｍはメインディテクタＰＤｍで受光し、ある量子化効率をもって電流に変換し、トランスインピーダンスＴＩｍで電圧へ変換してメイン信号ＳＤＭを生成する。
【０００８】
サブ反射光Ｃｓ１及びサブ反射光Ｃｓ２はサブディテクタＰＤｓ１及びサブディテクタＰＤｓ２で受光し、ある量子化効率をもって電流に変換し、トランスインピーダンスＴＩｓで電圧へ変換しサブ信号ＳＤＳを生成する。
【０００９】
図３はピックアップ１０におけるフォトデイテクタであるメインディテクタＰＤｍ，サブディテクタＰＤｓ１，ＰＤｓ２とその変換部の等価回路を示す。
光ビームとメインディテクタＰＤｍとサブディテクタＰＤｓ１及びサブディテクタＰＤｓ２の量子化効率は一定であることから、メイン信号ＳＤＭを生成するトランスインピーダンスＴＩｍに比べサブ信号ＳＤＳを生成するトランスインピーダンスＴＩｓがより大きなトランスインピーダンスで設定されている。
【００１０】
図５は図４に示した再生増幅器１１を示しており、前述のメイン信号ＳＤＭとサブ信号ＳＤＳを基に、ＲＦ信号処理部２２、また入力回路２３に入力された信号の必要部分をサンプルホールド回路（以下、Ｓ／Ｈ回路と称す）２４より抽出し各種演算回路／信号処理を施し、各種演算信号処理部２５を介して信号処理してＣＰＵ１５とデコーダ１２とスピンドルモータ５へ出力する。
【００１１】
Ｓ／Ｈ回路２４について説明する。
光変調方式で記録媒体に光ビームの光量をライトパワー及びリードパワーとの間で切り換えて照射し記録する光ディスク装置に適用する記録媒体１においては、ポリカーボネートの基盤に有機色素を付着して情報記録面を形成し、この情報記録面を保護層で保護する。
【００１２】
これに対して光ディスク装置は、この情報記録面に光ビームを照射することにより有機色素を熱変化させ、これにより情報記録面に反射率の低い領域を形成する。これにより光ディスク装置は、コンパクトディスクと同様のピットを情報記録面に順次形成して所望の情報を記録する。
【００１３】
この情報記録の際、所定の記録トラック形成位置に確実にピットを形成し得るように、この種の光ディスクは、予め情報記録面にらせん状にプリグループを形成するようになされ、光ディスク装置においては、光ビームの反射光を受光することによりこのプリグループを基準にしてトラッキング制御するようになされている。
【００１４】
図６（Ａ）に示すように光ビームＢをリードパワーＲとライトパワーＷで切換えた場合、このピット形成時の反射率の変化に伴い、光ディスクから得られる反射光は、図６（Ｂ）のＩＡ〜ＩＨに示すようにライトパワーＷに切り換えた直後、大幅に増大した後、ピットが形成され始めると反射率が低下することにより光量が低下し、続いてリードパワーＲに切り換わると、光ビームの照射位置がそれまで形成していたピットの外側に位置するまで極端に低下し、続いて反射率の高い部分だけを走査するようになると所定光量に立ち上がる。これにより反射光量の受光結果でなる再生ＲＦ信号ＲＦにおいては、この反射光量の変化に追従して信号レベルが大きく変化する。
【００１５】
このため、この種の光ディスク装置においては、Ｓ／Ｈ回路２４によって、図６（Ｃ）に示すようなサンプリングパルスＳＨＰを用い、光量をリードパワーＲからライトパワーＷに切り換える直前のタイミングで受光素子の出力信号をサンプルホールドし、図６（Ｄ）に示すように光量の変化を受けていない信号ＳＡ〜ＳＨを抽出し、このサンプルホールド結果に基づいてトラッキングエラー信号を形成するようになされている。
【００１６】
すなわち、リードパワーＲにおいては、情報再生時の光量でなることにより、再生ＲＦの信号レベルが安定したタイミングで受光素子の出力信号をサンプルホールドすれば、情報再生時と同様の受光結果を得ることができる。これにより光ディスク装置は、このサンプルホールド結果に基づいてプリグループに対する光ビーム照射位置のずれを検出してトラッキング制御するようになされている。
【００１７】
【発明が解決しようとする課題】
しかしながら、上記従来の構成では、上記記録媒体にからの反射光を光ピックアップ受光素子である図２のフォトディテクタで受光し、前記受光素子の出力電流を図３のＩ−Ｖ変換する場合において、前述のＩ−Ｖ変換回路のトランスインピーダンスやアンプでホワイトノイズが発生する。
【００１８】
また、図７に示すように、ピックアップ１０のＩ−Ｖ変換信号Ａ〜Ｈの信号は、多くの場合においては、フレキシブル配線基盤を通して再生増幅器１１の入力回路２３に入力され、装置上の外乱ノイズの影響により、多くの場合において、伝送時にＩ−Ｖ変換信号Ａ〜Ｈにノイズが重畳される。
【００１９】
また、再生増幅器１１においてＳ／Ｈ回路２４に信号を入力する場合には各種演算処理をする場合が多く回路ノイズが発生する。
このため、図６の波形図は、実際には図８（Ｂ）に示すように回路ノイズおよび外乱ノイズが重畳された信号となっている。図８（Ａ）は光ビームＢであり、図８（Ｂ）はノイズが重畳された信号ＩＡ〜ＩＨ、図８（Ｃ）はサンプリングパルスＳＨＰであって、リードパワーＲからライトパワーＷに切り換える直前のタイミングで受光素子の出力信号をサンプルホールドし、このサンプルホールド結果に基づいてトラッキングエラー信号を形成するようになされているが、図８（Ｃ）の立下りのホールドタイミングでのノイズが重畳された信号ＩＡ〜ＩＨにおいて、ノイズ信号をホールドするために、図８（Ｄ）に示すように本来のエラー信号であるＳＡＡ〜ＳＨＨ信号とは異なった　この信号ＳＡ〜ＳＨでサンプルホールド結果に基づいてプリグルーブに対する光ビーム照射位置のずれを検出してトラッキング制御を行うと、正確な光ビーム照射位置に安定な制御できないことにより、再生不可能な情報として記録されることで、記録領域の低下に至る。
【００２０】
そこで、本発明は、上記問題点に鑑みて成されたもので、その課題は、光ディスク装置のトラッキングエラーなどサーボエラー信号の抽出方法で記録中ＥＦＭ信号の記録パワー信号を除くサンプルホールド回路で生成する場合であって、装置上の外乱ノイズまたは回路ノイズなどに起因するノイズ信号の影響を抑制し、サンプルホールド誤差信号を発生させることなく抽出し、安定なサーボと記録領域の低下を防ぐことを可能とした光ディスク装置を提供することにある。
【００２１】
【課題を解決するための手段】
本発明の請求項１記載の光ディスク装置は、光ビームの光量をライトパワー及びリードパワーとの間で切り換えて照射し記録する光ディスク装置であって、記録媒体からの反射光を光ピックアップ受光素子で受光し、前記受光素子の出力電流をＩ−Ｖ変換してリードパワー出力信号のタイミングでサンプルホールドし、トラッキングエラーなどサーボエラー信号を得るサンプルホールド回路を有し、前記サンプルホールド回路の前段回路のスルーレートを制御して、外乱ノイズまたは回路ノイズなどに起因するノイズ信号の通過を抑制するように構成したことを特徴とする。
【００２２】
本発明の請求項２記載の光ディスク装置は、請求項１において、前記サンプルホールド回路の前段回路のスルーレートを前記記録媒体の回転速度に応じて制御するよう構成したことを特徴とする。
【００２３】
本発明の請求項３記載の光ディスク装置は、光ビームの光量をライトパワー及びリードパワーとの間で切り換えて照射し記録する光ディスク装置であって、記録媒体からの反射光を光ピックアップ受光素子で受光し、前記受光素子の出力電流をＩ−Ｖ変換してリードパワー出力信号のタイミングでサンプルホールドし、トラッキングエラーなどサーボエラー信号を得るサンプルホールド回路を有し、前記サンプルホールド回路の前段回路のｇｍアンプのｇｍ値を制御して、外乱ノイズまたは回路ノイズなどに起因するノイズ信号の通過を抑制するように構成したことを特徴とする。
【００２４】
本発明の請求項４記載の光ディスク装置は、請求項３において、前記サンプルホールド回路の前段回路のｇｍアンプのｇｍ値を前記記録媒体の回転速度に応じて制御するよう構成したことを特徴とする。
【００２５】
本発明の請求項５記載の光ディスク装置は、請求項３において、前記サンプルホールド回路の前段回路のｇｍアンプのｇｍ値を記録媒体の回転速度信号であるクロック信号に応じて制御するよう構成したことを特徴とする。
【００２６】
本発明の請求項６記載の光ディスク装置は、請求項３において、前記サンプルホールド回路の前段回路のｇｍアンプのｇｍ値を記録媒体の回転速度信号であるクロック信号からＦＭ復調した信号に応じて制御するよう構成したことを特徴とする。
【００２７】
【発明の実施の形態】
以下、本発明の各実施の形態を図９〜図１７に基づいて説明する。
なお、各実施の形態では従来例を示す図１〜図８と同様の作用をなすものには同一の符号を付けて説明する。
【００２８】
（実施の形態１）
図９と図１０は（実施の形態１）を示す。
記録媒体１からの反射光を光ピックアップ受光素子である図２のフォトディテクタで受光し、前記受光素子の出力電流を図３のＩ−Ｖ変換する場合において前述のＩ−Ｖ変換回路のトランスインピーダンスやアンプでホワイトノイズが発生することは前述説明の通りである。
【００２９】
また、図７においてピックアップ内部のＩ−Ｖ変換信号Ａ〜Ｈの信号は多くの場合においては、フレキシブル配線基板を通して再生増幅器１１に入力される。前述信号Ａ〜Ｈの伝送時に多くの場合においては装置上の外乱ノイズからの影響により信号Ａ〜Ｈにノイズが重畳され、再生増幅器１１においてＳ／Ｈ回路２４に信号を入力する場合には各種演算処理をする場合が多く前述各種演算処理においても回路ノイズが発生することも前述説明の通りである。
【００３０】
そこで、この（実施の形態１）では、図９に示すようにＳ／Ｈ回路２４の前段の入力回路２３を、入力信号の選択、ゲイン調整などを実行可能な各種演算処理部３１、アンプ２６、トランジスタ２７及び電流源２８で構成したものであって、電流源２８の設定電流値を回転速度信号ＳＳＰに応じて変更する。回転速度信号ＳＳＰはスピンドルモータ５の回転数に応じた信号で、入力回路２３のスルーレートがスピンドルモータ５の回転数が高いほど高くなるように自動制御される。Ｓ／Ｈ回路２４は、スイッチ回路２９とコンデンサ３７とバッファ３０とで構成されている。
【００３１】
なお、図１０（Ａ）は光ビームＢ、図１０（Ｂ）はノイズが重畳された信号ＩＡ〜ＩＨ、図１０（Ｃ）はサンプリングパルスＳＨＰ、図１０（Ｄ）はＳ／Ｈ回路２４の出力信号ＳＡ〜ＡＨである。図１０（Ｅ）は入力回路２３の出力信号である。
【００３２】
このように構成したため、図１０（Ｂ）当該信号ＩＡ〜ＩＨのノイズ信号を除去可能なスルーレートに、スピンドルモータ５の回転数に応じて電流源２８の電流値を設定変更するよう制御し、これによってノイズ信号が除去された図１０（Ｅ）はピット形成時の反射率の変化に伴い、光ディスクから得られる反射光は、ライトパワーＷに切り換えた直後、大幅に増大した後、ピットが形成され始めると反射率が低下することにより光量が低下し、続いてリードパワーＲに切り換わると、光ビームの照射位置がそれまで形成していたピットの外側に位置するまで極端に低下し、続いて反射率の高い部分だけを走査するようになると所定光量に立ち上がる波形に対しする回路ノイズおよび外乱ノイズが除去された信号ＩＡ〜ＩＨをリードパワーＲからライトパワーＷに切り換える直前のタイミングで受光素子の出力信号をサンプルホールドし、このサンプルホールド結果に基づいてプリグルーブに対する光ビーム照射位置のずれを検出してトラッキング制御を行うと、正確な光ビーム照射位置に安定なサーボと記録領域の低下を防ぐことができる。
【００３３】
（実施の形態２）
図１１〜図１３は（実施の形態２）を示す。
（実施の形態１）のように、ノイズ信号を除去するトランジスタ２７の応答性能に設定すると電流源２８で決定する立下りのスルーレートがサンプリング中に信号が追従しない場合があり、当該信号をサンプルホールド結果にスルーレートで決定された残留信号が残った図１０（Ｄ）の信号ＳＡ〜ＳＨを元にプリグルーブに対する光ビーム照射位置のずれを検出してトラッキング制御を行うと安定性を損なう場合がある。
【００３４】
また、回転速度が速くなった際に追従し可変しない場合においては、サンプルホールドタイミング信号のサンプリングタイミングを回転速度に応じて調整を実施しないと、サンプルホールド結果にスルーレートで決定された残留信号が残った図１０（Ｄ）の信号ＳＡ〜ＳＨを元にプリグルーブに対する光ビーム照射位置のずれを検出してトラッキング制御を行うと安定性を損なう場合がある。
【００３５】
この問題を回避できる（実施の形態２）は、次のように構成されている。
図１１は（実施の形態２）の光ディスク装置の再生増幅器１１の要部を示す。Ｓ／Ｈ回路２４の前段の入力回路２３を、図１１に示すように入力信号の選択、ゲイン調整などを実行可能な各種演算処理部３１と、バッファアンプ３２とで構成し、バッファアンプ３２の電流ドライブ能力を、スピンドルモータ５の回転数に応じた回転速度信号ＳＳＰに応じて変更する。
【００３６】
バッファアンプ３２は図１２（ａ）または（ｂ）に示すよう構成されている。図１２（ａ）のバッファアンプ３２は、トランジスタ３４Ａ〜３４Ｈなどで構成されており、入力信号がトランジスタ３４Ｃ，３４Ｅのベースに印加され、出力信号がトランジスタ３４Ｇ，３４Ｈのエミッタから出力される。図１２（ａ）では、回転速度信号ＳＳＰに応じて抵抗器３３の値を変更し、トランジスタ３４Ｃ，３４Ｆの直列回路とトランジスタ３４Ｄ，３４Ｅの直列回路の電流を変更している。
【００３７】
具体的には、図１３（Ｂ）の波形の信号ＩＡ〜ＩＨのノイズ信号を除去可能なバッファアンプ３２の電流ドライブ能力を抵抗器３３にて決定し、ノイズ信号が除去された図１３（Ｅ）の波形をサンプルホールドし、このサンプルホールド結果に基づいてプリグルーブに対する光ビーム照射位置のずれを検出してトラッキング制御を行うと、正確な光ビーム照射位置に安定なサーボと記録領域の低下を防ぐことが実現できる。
【００３８】
なお、図１３（Ａ）は光ビームＢ、図１３（Ｃ）はサンプリングパルスＳＨＰ、図１３（Ｄ）はＳ／Ｈ回路２４の出力信号ＳＡ〜ＡＨである。
図１２（ｂ）のバッファアンプ３２は、トランジスタ３４Ｉ〜３４Ｌなどで構成されており、入力信号がトランジスタ３４Ｉのベースに印加され、出力信号がトランジスタ３４Ｋのベース，コレクタから出力される。回転速度信号ＳＳＰに応じて抵抗器３３の値を変更して電流ドライブ能力を決定している。
【００３９】
（実施の形態３）
図１４と図１５は（実施の形態３）を示す。
（実施の形態２）のように、電流ドライブ能力を制御だけではノイズ信号が十分に除去できない場合がありえる。そのために残留したノイズ信号の影響を受けたサンプルホールド結果を元にプリグルーブに対する光ビーム照射位置のずれを検出してトラッキング制御を行うと安定性を損なう場合がある。
【００４０】
また、（実施の形態２）では回転速度信号ＳＰＰに合わせステップ的にしか制御できず、角速度一定で記録媒体を回転制御している場合に追従性が悪く安定性を損なう場合がある。
【００４１】
この問題を回避できる（実施の形態３）は、次のように構成されている。
図１４は（実施の形態３）の光ディスク装置の再生増幅器１１の要部を示す。Ｓ／Ｈ回路２４の前段の入力回路２３は、入力信号の選択、ゲイン調整などを実行可能な各種演算処理部３１、ｇｍアンプ３５と容量３７で構成し、ｇｍアンプ３５のｇｍを、スピンドルモータ５の回転数に応じた回転速度信号ＳＳＰに応じて変更する。
【００４２】
ｇｍアンプ３５と容量３７でローパスフィルタを構成している。ここで、ｇｍアンプ３５は、回転速度信号ＳＳＰに応じて相互コンダクタンスが変化するアンプであって、入力電圧に対する出力電流の度合いが変化するアンプである。
【００４３】
具体的には、図１５（Ｂ）の当該信号ＩＡ〜ＩＨのノイズ信号を除去可能なｇｍ値を決定し、ノイズ信号が除去された図１５（Ｅ）をＳ／Ｈ回路２４でサンプルホールドし、このサンプルホールド結果に基づいてプリグルーブに対する光ビーム照射位置のずれを検出してトラッキング制御を行うと、正確な光ビーム照射位置に安定なサーボと記録領域の低下を防ぐことが実現できる。
【００４４】
なお、図１５（Ａ）は光ビームＢ、図１５（Ｃ）はサンプリングパルスＳＨＰ、図１５（Ｄ）はＳ／Ｈ回路２４の出力信号ＳＡ〜ＡＨである。
また、ｇｍ値の制御を回転速度信号ＳＰＰの信号で動的に制御することが可能であるために、角速度一定で記録媒体を回転制御している場合に追従性を良くすることが可能で安定なサーボと記録領域の低下を防ぐことが実現できる。
【００４５】
（実施の形態４）
図１６は本発明の（実施の形態４）の光ディスク装置の再生増幅器１１の要部を示す。
【００４６】
（実施の形態３）ではｇｍアンプ３５を回転速度信号ＳＰＰの信号で動的に制御しいていたが、この実施の形態では、ｇｍ値の制御を回転速度同期クロック信号に基づき制御を行うものである。
一般的に光ディスク装置はプリグルーブから抽出する回転信号ウォブル及びアドレス情報を元に制御を行う場合が多い。そのためプリグルーブから抽出する回転信号には同期したクロック信号（回転速度同期クロック信号ＳＣＫ）が存在し、この信号に基づき当該信号ＩＡ〜ＩＨのノイズ信号を除去可能なｇｍアンプ３５のｇｍ値を決定することで、ノイズ信号が除去された図１５（Ｅ）の信号を得、これをＳ／Ｈ回路２４でサンプルホールドし、このサンプルホールド結果に基づいてプリグルーブに対する光ビーム照射位置のずれを検出してトラッキング制御を行うと、最も正確な光ビーム照射位置に安定なサーボと記録領域の低下を防ぐことが実現できる。
【００４７】
そこで、図１６に示すように、ＦＭ復調器３６の出力でｇｍ値を制御する。図１７（Ａ）は、再生・記録速度が遅い状態から速い状態に切り替わって回転速度同期クロック信号ＳＣＫの変調周波数が変化した状態を示しており、この回転速度同期クロック信号ＳＣＫをＦＭ復調器にて図１７（Ｂ）の制御信号ＳＦＭを抽出し、ｇｍ値を図１７（Ｃ）のように制御をする。
【００４８】
ｇｍ値の制御を、回転速度同期クロック信号ＳＣＫの信号で同期制御することが可能であるために、線速度が急激に変化した場合や角速度一定で記録媒体を回転制御している場合に追従性を良くすることが可能となり安定なサーボと記録領域の低下を防ぐことが実現できる。
【００４９】
【発明の効果】
以上のように本発明によると、外乱ノイズまたは回路ノイズなどに起因するノイズ信号の影響を抑制し、サンプルホールド誤差信号を発生させることなく抽出し、安定なサーボと記録領域の低下を防ぐことができる光ディスク装置を実現できる。
【００５０】
これによって、安定なサーボと高い記録密度の記録容量確保が可能となり、また、簡単な構成で実現できるので、小型化と低消費電力化を実現でき、地球環境への負荷を低減することができる。
【図面の簡単な説明】
【図１】記録媒体の一例を示す拡大説明図
【図２】光ディスク装置のピックアップのフォトデイテクタの一例を示す構成図
【図３】光ディスク装置のピックアップにおけるフォトデイテクタの信号出力回路の構成図
【図４】光ディスク装置の構成図
【図５】光ディスク装置の再生増幅器の一実施形態を示す構成図
【図６】光ディスク装置のサンプルホールド処理の波形図
【図７】従来の再生増幅器の構成図
【図８】従来のサンプルホールド処理の波形図
【図９】本発明の（実施の形態１）の光ディスク装置の再生増幅器の構成図
【図１０】同実施の形態の要部波形図
【図１１】本発明の（実施の形態２）の光ディスク装置の再生増幅器の構成図
【図１２】同実施の形態のバッファアンプの構成図
【図１３】同実施の形態の要部波形図
【図１４】本発明の（実施の形態３）の光ディスク装置の再生増幅器の構成図
【図１５】同実施の形態の要部波形図
【図１６】本発明の（実施の形態４）の光ディスク装置の再生増幅器の構成図
【図１７】同実施の形態の要部波形図
【符号の説明】
Ｂ　　光ビーム
１　　記録媒体
２４　　サンプルホールド回路
２３　　サンプルホールド回路の前段回路
ＳＳＰ　回転速度信号
３５　　ｇｍアンプ
ＳＣＫ　　回転速度同期クロック信号
ＳＦＭ　　制御信号
【図１】
2004079084.tif 000003
【図２】
2004079084.tif 000004
【図３】
2004079084.tif 000005
【図４】
2004079084.tif 000006
【図５】
2004079084.tif 000007
【図６】
2004079084.tif 000008
【図７】
2004079084.tif 000009
【図８】
2004079084.tif 000010
【図９】
2004079084.tif 000011
【図１０】
2004079084.tif 000012
【図１１】
2004079084.tif 000013
【図１２】
2004079084.tif 000014
【図１３】
2004079084.tif 000015
【図１４】
2004079084.tif 000016
【図１５】
2004079084.tif 000017
【図１６】
2004079084.tif 000018
【図１７】
2004079084.tif 000019